(57)【要約】      （修正有）【課題】外耳道内に全周面の耳垢などを自動的に掻き出すことができ、掻き出した耳垢などを自動的に排出することができる自動耳掻き器を提供する。【解決手段】ケース内に電源部と駆動部とを有し、当該駆動部の回転軸に取り付けた接続弾性部を形成した電動機本体と、上記電動機本体の接続弾性部に取り付けられる耳掻き軸部と、当該耳掻き軸部の周側面部の先端側から基端側に向かって回転軸の回転方向と逆方向に連続して植設されたブラシ部とを形成した耳掻き部本体とから構成した。【選択図】図１
0003111382.tif 000002
【実用新案登録請求の範囲】
【請求項１】
ケース内に電源部と駆動部とを有し、当該駆動部の回転軸に取り付けた接続弾性部を形成した電動機本体と、上記電動機本体の接続弾性部に取り付けられる耳掻き軸部と、当該耳掻き軸部の周側面部の先端側から基端側に向かって回転軸の回転方向と逆方向に連続して螺旋状に植設されたブラシ部とを形成した耳掻き部本体とから構成されるようにしたことを特徴とする自動耳掻き器。
【請求項２】
連続して螺旋状に植設されたブラシ部を耳掻き軸部の基端部側に行くにしたがって長毛なブラシ部に形成した請求項１に記載する自動耳掻き器。
【請求項３】
連続して螺旋状に植設されたブラシ部を耳掻き軸部の基端部側に行くにしたがって長毛なブラシ部に形成すると共に、基端部側の長毛なブラシ部を静電気帯電受部に形成した請求項１及び請求項２に記載する自動耳掻き器。
【考案の詳細な説明】
【技術分野】
【０００１】
本考案は、自動耳掻き器に関し、特に外耳内の耳垢、ホコリなどを自動的に掻き出して外部に自動的に排出することができる自動耳掻き器に関するものである。
【背景技術】
【０００２】
従来、一般的な耳掻き用具としては、細い棒状体の先端部分に杓子状の掻き部を備えて、その先端縁を外耳道内の表皮に摺触させて掻くようにして用いるものであった。そのために掻き出した耳垢などを杓子状の掻き部によって外耳道の外に掻き出すことができる。しかしながら、細かな耳垢などは掻き部から落ちてしまい耳垢などが外耳道内に残ることがあり、完全に耳垢などを取り除くことができないという課題を有していた。
【０００３】
上記の従来技術の課題を解消するために、図３に示したような耳掻き部Ｂとなる棒状体Ａをパイプ状の中空に形成すると共に、杓子状の掻き部Ｂに吸気口Ｃを形成することにより、棒状体Ａの基端部側に吸引ファンを有する駆動体を取り付けることにより、外耳道内で掻き出した耳垢などを吸気口を通じて外部に排出するようにした技術が存在した（例えば、特開平１１−１９７０５２、等）。Ｄはスイッチ部である。しかしながら、耳垢などを掻き出しながら吸引することができるものの、耳垢の大きさなどにより吸引機構が詰まったり、吸引・排出漏れが生ずるという課題を有していた。
【考案の開示】
【考案が解決しようとする課題】
【０００４】
本考案は上記のような従来技術が有している課題を解消しようとするもので、外耳道内の全周面の耳垢などを自動的に掻き出すことができると共に、かつ自動的に掻き出した耳垢などを外部に排出することができる自動耳掻き器を提供するのが目的である。
【課題を解決するための手段】
【０００５】
本考案は上記のような課題を解消しようとするもので、次のような手段を講じたものである。
【０００６】
登録を受けようとする第１の考案は、ケース内に電源部と駆動部とを有し、当該駆動部の回転軸に取り付けた接続弾性部を形成した電動機本体と、上記電動機本体の接続弾性部に取り付けられる耳掻き軸部と、当該耳掻き軸部の周側面部の先端側から基端側に向かって回転軸の回転方向と逆方向に連続して植設されたブラシ部とを形成した耳掻き部本体とから構成されるようにしたことを特徴とする自動耳掻き器である。
【０００７】
登録を受けようとする第２の考案は、連続して螺旋状に植設されたブラシ部を耳掻き軸部の基端部側に行くにしたがって長毛なブラシ部に形成した請求項１に記載する自動耳掻き器である。
【０００８】
登録を受けようとする第３の考案は、連続して螺旋状に植設されたブラシ部を耳掻き軸部の基端部側に行くにしたがって長毛なブラシ部に形成すると共に、基端部側の長毛なブラシ部を静電気帯電受部に形成した請求項１及び請求項２に記載する自動耳掻き器である。
【考案の効果】
【０００９】
第１の考案によれば、耳掻き部の周側面部の先端側から基端側に向かって回転軸の回転方向と逆方向に連続して植設されたブラシ部とを形成してあるので、使用に際して外耳道内の耳垢などはブラシ部の回転操作により、自動で掻き出すことができると共に、螺旋状にブラシ部が植設されているので、先端側で掻き取った耳垢などを基端側に送るように掻き出されることとなる。また、耳掻き部と駆動部とは接続弾性部により取り付けられているので、外耳道の内周面に沿って操作することができる。
【００１０】
上記の第２の考案によれば、連続して螺旋状に植設されたブラシ部を耳掻き部の基端部側に行くにしたがって長毛なブラシ部に形成してあるので、外耳道の内周径に適合させることができる。
【００１１】
上記の第３の考案によれば、基端部側の長毛なブラシ部を静電気帯電受部に形成してあるので、コンベア機能により掻きだされた耳垢などは静電気帯電受部により保持されることとなるので、外部に落下して散らかることがなくなる。
【実施例１】
【００１２】
以下に本考案の実施例について説明すると、図１は本考案に係る自動耳掻き器の縦断側面図であり、図２は耳掻き軸部の他の実施例を示す模式図である。
【００１３】
図１において、１は電動機本体であり、該本体１は駆動部２と電源部となる電池３が収納されるケース４から形成されている、ケース４の先端側には収納した駆動部２の回転軸２ａを囲繞する開口筒部４ａが形成されている。駆動部２の回転軸２ａには駆動部２の回転力を伝達する接続弾性部５が取り付けられている。接続弾性部５としてはゴム材あるいはバネ材などの弾性力を有する部材であればよい。
【００１４】
６は耳掻き部本体であり、該本体６の基端部は、上記接続弾性部５を介して駆動部２の回転軸２ａと一体的に回転する。耳掻き部本体６の先端部は、耳掻き軸部７が形成されている。この耳掻き軸部７は、その周側面部の先端側から基端側に向かってブラシ部８が植設形成されている。ブラシ部８の植設方向は、駆動部２の回転軸２ａの回転方向と逆方向に連続した螺旋状に基端側に向かって植設されている。そのために先端側において掻き出される耳垢などは回転動作に伴って順次に基端側に排出されることとなる。すなわち、連続したブラシ部８の回転動作はスクリュコンベア機能を有することとなる。
【００１５】
図示の実施例においては、連続して螺旋状に植設されたブラシ部８を耳掻き部の基端部側に行くにしたがって一定の長さを有するブラシ部８に形成されているが、図２に示すように先端側から基端側に向かって次第に長毛となるブラシ部８ｂに形成することにより、子供から大人までの外耳道の内周径に適合させることができる。また、基端部側の長毛なブラシ部８を静電気帯電受部８ｃに形成してあるので、コンベア機能により掻きだされた耳垢などは静電気帯電受部８ｃにより保持されることとなる。
【００１６】
なお、駆動部２の回転軸２ａと耳掻き部本体６とは、接続弾性部５を介して直接的に接続されており、駆動力がダイレクトに耳掻き部本体６に伝達されるようになっているが、図示しないがクラッチ機構を介して接続することにより、耳掻き部本体６の回転数を制御するようにしてもよい。図中、９はスイッチである。
【産業上の利用可能性】
【００１７】
本考案は自動的に外耳道内の耳垢やほこり等を掻きだして自動的に排出することが可能となる自動耳掻き器を提供することができる。
【図面の簡単な説明】
【００１８】
【図１】自動耳掻き器の縦断側面図である。
【図２】耳掻き軸部の他の実施例を示す模式図である。
【図３】従来の耳掻き器の側面図である。
【符号の説明】
【００１９】
１  電動機本体
２  駆動部
３  電源部
４  ケース
５  接続弾性部
６  耳掻き部本体
７  耳掻き軸部
８  ブラシ部
８ｂ  静電気帯電受部
【図１】
0003111382.tif 000003
【図２】
0003111382.tif 000004
【図３】
0003111382.tif 000005